(57)【要約】【課題】薄肉ペットボトルを安定して収容し、段積みによる重さから薄肉ペットボトルを保護し、容易に人の手で搬送することができる段ボール箱を提供することを目的とする。【解決手段】２リットル容の薄肉ペットボトルを６本収容するための段ボール箱であって、横方向に連続した４つの側壁部分と、前記４つの側壁部分の上方に延びる４つの蓋フラップと、前記４つの側壁部分の下方に延びる４つの底フラップとを含み、かつ、前記４つの側壁部分のうち少なくとも対向する２つの側壁部分の上方に把持部を有する段ボール箱本体と、前記段ボール箱本体に収容した６本の薄肉ペットボトルの上から被せて該薄肉ペットボトルを保持するための内蓋とを備え、前記内蓋は、ボトルの首部挿入部を有する底面と、側面とを有し、該側面は、前記段ボール箱本体の把持部の上縁から前記第１の折れ目までの長さと等しいことを特徴とする前記段ボール箱。【選択図】図４
2010083532.tif 000002
【特許請求の範囲】
【請求項１】
２リットル容の薄肉ペットボトルを６本収容するための段ボール箱であって、
Ａ）  縦方向に延びる折れ目によって区別された横方向に連続した４つの側壁部分と、横方向に延びる第１の折れ目を介して前記４つの側壁部分の各々の上縁から上方に延びる４つの蓋フラップと、横方向に延びる第２の折れ目を介して前記４つの側壁部分の各々の下縁から下方に延びる４つの底フラップとを含み、かつ、前記４つの側壁部分のうち少なくとも対向する２つの側壁部分の上方に把持部を有する段ボール箱本体と、
Ｂ）  前記段ボール箱本体に収容した６本の薄肉ペットボトルの上から被せて該薄肉ペットボトルを保持するための内蓋とを備え、
Ｃ）  前記内蓋は、
１）  前記段ボール箱本体の収容部開口の縦横の寸法と等しい大きさで、かつ、前記６本のペットボトルの首部が挿入されるボトル首部挿入部を有する底面と、
２）  前記底面の端縁から折れ目を介して上方向に延びる側面とを有し、
３）      該側面は、前記段ボール箱本体の把持部の上縁から前記第１の折れ目までの長さと等しい長さを有する、
ことを特徴とする前記段ボール箱。
【請求項２】
２リットル容の薄肉ペットボトルを５本とホルダー１個を収容するための段ボール箱であって、
Ａ）  縦方向に延びる折れ目によって区別された横方向に連続した４つの側壁部分と、横方向に延びる第１の折れ目を介して前記４つの側壁部分の各々の上縁から上方に延びる４つの蓋フラップと、横方向に延びる第２の折れ目を介して前記４つの側壁部分の各々の下縁から下方に延びる４つの底フラップとを含み、かつ、前記４つの側壁部分のうち少なくとも対向する２つの側壁部分の上方に把持部を有する段ボール箱本体と、
箱本体と、
Ｂ）  前記段ボール箱本体に収容した５本の薄肉ペットボトルと１個のホルダーの上から被せて該薄肉ペットボトルを保持するための内蓋とを備え、
Ｃ）  前記内蓋は、
１）  前記段ボール箱本体の収容部開口の縦横の寸法と等しい大きさで、かつ、前記５本のペットボトルの首部が挿入されるボトル首部挿入部５個と、薄肉ペットボトルホルダーの上方部分を保持するホルダー保持部１個を有する底面と、
２）  前記底面の端縁から折れ目を介して上方向に延びる側面とを有し、
３）  該側面は、前記段ボール箱本体の把持部の上縁から前記第１の折れ目までの長さと等しい長さを有する、
ことを特徴とする前記段ボール箱。
【請求項３】
前記ペットボトル１つの重さが、14ｇ〜30ｇである、請求項１又は２記載の段ボール箱。
【請求項４】
前記ボトル首部挿入部が、上記ペットボトル首部の大きさよりやや大きめの円形の穴部である、請求項１又は２記載の段ボール箱。
【請求項５】
前記内蓋の底面端部であって、前記段ボール箱の把持部側の位置に該把持部と同程度の開口が設けられてなる、請求項１又は２記載の段ボール箱。
【請求項６】
前記内蓋が、前記段ボール箱本体の蓋フラップに一体に形成されている、請求項１又は２記載の段ボール箱。
【発明の詳細な説明】
【技術分野】
【０００１】
本発明は、２リットル容薄肉ペットボトル６本を３列ずつで収容し、搬送する際等での天面落下や人の手で持ち運ぶ時の把持部の破損等に工夫が施されている段ボール箱に関するものである。
【背景技術】
【０００２】
近時、資源の削減やつぶし易い容器等の要望に基づきペットボトルの軽量化が進んでおり、今後ともペットボトルは軽量化されて、当該ペットボトルの肉厚もますます薄いものになってくる。
そうした場合の第一の課題は、薄肉ペットボトルを段ボール箱に収容し、段積み状態で搬送する際に段ボール箱が逆さ向きに落下（天面落下）すると、内容物である薄肉ペットボトルの蓋部が当該容器の肩部付近で陥没し易くなるということである。
第二の課題は、最近は、２L容ペットボトル６本入り段ボール箱毎買って行くことがよくみられるようになってきた。２リットル容ペットボトルが６本も収容された段ボール箱は相当の重さになっており、この段ボール箱の把持部に手を入れて持ち運んでいるときに当該把持部に上記段ボール箱の重さが集中してしまい、当該把持部の一部が裂けて把持部としての機能を失ってしまったり、あるいは当該把持部に入れている手の指が時間の経過とともに痛くなって長時間持ち運ぶことができなくなるということである。
【０００３】
上記課題の内、把持部の改良については従来から行われており、特許文献1には、２リットル入りＰＥＴボトルを半ダース収容する段ボール箱ボトルの把持孔の周辺の強度を高めることによって、上記段ボール箱毎持ち運ぶごとができるようにしたものがある。すなわち、把持孔のある側壁の蓋フラップを、把持孔の周辺と同じように切り込みを入れ、下方向に押し開いて把持孔の周辺を二重層にしようとするものである。しかし、この方法では、把持孔の周辺の強度を高めることはできるが、上記切り込みを入れる手間と上記蓋フラップはフラップとしての機能を全く果たすことができないという問題がある。
【特許文献１】特開２００５−２６３３１５号公報
【発明の開示】
【発明が解決しようとする課題】
【０００４】
本発明は、薄肉ペットボトルを安定して収容し、天面落下による陥没を未然に防止すると共に薄肉ペットボトルを人の手で容易に搬送することができる段ボール箱を提供することを目的とする。
【課題を解決するための手段】
【０００５】
本発明は、２リットル容の薄肉ペットボトルを６本収容するための段ボール箱であって、
Ａ）  縦方向に延びる折れ目によって区別された横方向に連続した４つの側壁部分と、横方向に延びる第１の折れ目を介して前記４つの側壁部分の各々の上縁から上方に延びる４つの蓋フラップと、横方向に延びる第２の折れ目を介して前記４つの側壁部分の各々の下縁から下方に延びる４つの底フラップとを含み、かつ、前記４つの側壁部分のうち少なくとも対向する２つの側壁部分の上方に把持部を有する段ボール箱本体と、
Ｂ）  前記段ボール箱本体に収容した６本の薄肉ペットボトルの上から被せて該薄肉ペットボトルを保持するための内蓋とを備え、
Ｃ）  前記内蓋は、
１）  前記段ボール箱本体の収容部開口の縦横の寸法と等しい大きさで、かつ、前記６本のペットボトルの首部が挿入されるボトル首部挿入部を有する底面と、
２）  前記底面の端縁から折れ目を介して上方向に延びる側面とを有し、
４）      該側面は、前記段ボール箱本体の把持部の上縁から前記第１の折れ目までの長さと等しい長さを有する、
ことを特徴とする前記段ボール箱である。
【発明の効果】
【０００６】
本発明の段ボール箱であれば、内容物が薄肉ペットボトルであっても段ボール箱がいわゆる天面落下しても当該薄肉ペットボトルの蓋部が該ボトルの肩部付近で陥没することを防止することができる。また、ペットボトル６本を３列ずつで収容した段ボール箱に設けられている把持部に手を入れて持ち運んでも当該把持部の一部が破れたり、あるいは当該把持部に入れた手の指が痛くなるということを有効に防止することができる。
【発明を実施するための最良の形態】
【０００７】
胴部の形状が円筒状の薄肉ペットボトル６本を３本ずつで収容する段ボール箱について、図面に基づいて具体例を述べる。
【０００８】
（第一実施形態）
本発明の第一実施形態について、図１〜図６に基づいて述べる。
図１は第一実施形態の段ボール箱の展開図である。当該段ボール箱は、縦方向に延びる折れ目ａによって区別された横方向に連続した４つの側壁部分１０、１２、１４、１６と、横方向に延びる第１の折れ目ｂを介して前記４つの側壁部分の各々の上縁から上方に延びる４つの蓋フラップ２０、２２、２４、２６と、横方向に延びる第２の折れ目ｃを介して前記４つの側壁部分の各々の下縁から下方に延びる４つの底フラップ３０、３２、３４、３６とを含んでいる。そして、側壁部分１６の端部にはのり代１８が設けられており、当該のり代１８が側壁部分１０の端部うら面に接着されて上記４つの側壁部分からなる段ボール箱本体を形成する。段ボール箱は薄肉ペットボトル６本を３本ずつで収容するのであるから、前記側壁部分１０と１４は同じ横幅で、側壁部分１２と１６は同じ横幅であって、側壁部分１０と１４の横幅は薄肉ペットボトル２本分に概ね相当し、側壁部分１２と１６の横幅は薄肉ペットボトル３本分に概ね相当するという関係になっている。すなわち、該段ボール箱本体の前記４つの側壁部分のうち、横幅の長い対向する２つの側壁部分１２と１６と、横幅の短い対向する２つの側壁部分１０と１４とからなっており、横幅の短い対向する２つの側壁部分１０と１４の上方には把持部４０と４２が設置されている。そして、蓋フラップと底フラップについても上記と同様の関係になっている。
【０００９】
次に、底フラップ３０、３２、３４、３６による段ボール箱本体の底面の作り方は、短縁の底フラップ３０と３４を折り、その上に長縁の底フラップ３２と３６を折り重ねて底面を形成する。こうして上方が開放された状態の段ボール箱本体になり、これに２リットル容の薄肉ペットボトルＰを３本ずつ計６本が収容される。当該薄肉ペットボトルＰとはペットボトル１つの重さが、14ｇ〜30ｇであることが好ましく、その形状としては、特に限定されるものではなく、例えば胴部の形状が円筒状乃至円筒状に近い形状であり、該胴部の上端からゆるやかな曲線を描きながら首部の下端で止まる肩部からなる円筒形状等がある。しかし、胴部形状が円筒状乃至円筒状に近い形状であれば、隣の当該薄肉ペットボトルとの接触が線接触になり、初めの内は段ボール箱内で６本のペットボトルが３本ずつで規則正しく、安定性に収容ているが、搬送とか持ち運び等におけるわずかな振動等によって規則正しく、安定性に収容されていた形が壊れてくる。そして、当該段ボール箱を運ぶ際に当該段ボール箱のバランスが安定せずに落下し、場合によっては天面落下を引き起こすことにもなり兼ねない。
【００１０】
このことを解決するために本発明では、内蓋を用いる。すなわち、図４に示すように前記段ボール箱本体に３本ずつで規則正しく収容されている薄肉ペットボトルの上から内蓋を被せて該薄肉ペットボトルを規則正しく保持する。当該内蓋は、図２のように、前記段ボール箱本体の収容部開口の縦横の寸法と等しい大きさで、かつ、３本ずつのペットボトルの首部が挿入され肩部上で止まるボトル首部挿入部６０乃至６２を有する底面５０がある。
【００１１】
上記内蓋の底面５０にあるボトル首部挿入部の形状としては、図２と３に示すように、ボトル首部の大きさよりやや大きめの円形の穴部６０や図３に示すようなボトルの蓋部の上から押さえつれてボトル首部に嵌合させるようになっている×状の切断部６２があるが、薄肉ペットボトルの陥没防止効果の点からは前者の穴部６０であることが好ましい。
【００１２】
また、上記底面５０には、その端縁から折れ目ｄを介して上方向に延びる４つの側面５２、５４、５６、５８を有しており、該側面５２、５４、５６、５８は、前記段ボール箱本体の把持部４０と４２の上縁から前記第１の折れ目ｂまでの長さと等しい長さを有している。
また、上記ボトル首部が上記ボトル首部挿入部６０乃至６２に嵌合された際の内蓋の底面５０は、前記段ボール箱本体の把持部４０と４２の上縁位置とほぼ一致する（図６を参照）。従って、上記段ボール箱の把持部４０と４２上縁に手をかけて持ち運ぶ場合には、上記底面５０の側面４０と４４が上記段ボール箱の把持部４０と４２上縁から上方へ持ち上げる際の助けとなり、上記把持部４０と４２上縁が破れることを未然に防止することができる。
【００１３】
更に、図２と３と６に示すように、上記内蓋底面５０の端部であって、前記段ボール箱の把持部側の位置に該把持部４０と４２と同程度の開口６４と６６があることによって、上記段ボール箱の持ち運びに上記段ボール箱の把持部４０と４２から上記開口６４と６６へ手を差し入れることにより、段ボール箱の側面１０と１４と内蓋の側面４２と４６を同時に握り締めることができ、より一層、上記内蓋の側面４２と４６が上記段ボール箱の把持部４０と４２上縁から上方へ持ち上げる際の助けとなり、上記把持部４０と４２上縁が破れることをより効果的に防止することができる。
【００１４】
（第二実施形態）
次に、第二実施形態について、図７〜８に基づいて述べる。
図７は、前記段ボール箱に薄肉ペットボトルと一緒にホルダーを収容する場合に使用する内蓋が記載されており、図８は薄肉ペットボトルを当て嵌めたホルダーの様子が記載されている。
まず、ホルダーについて説明すると、ホルダー８０とは、自分で立つことができない薄肉ペットボトルＰを立てるようにしたり、当該ペットボトルを手で握って内容物を注ぐことができない薄肉ペットボトルから内容物を注ぐことができるように等の当該ペットボトルの欠点を補うために薄肉ペットボトル用に作られた器具のことである。当該ホルダーは、図８に記載のものに限定されるものではなく、いろいろな機能をもったホルダーがあってもよい。
【００１５】
本発明では、例えば、当該ホルダー８０を薄肉ペットボトルＰと一緒に段ボール箱に収容する場合の内蓋としては、図７のように内蓋底面５０にホルダー上方部分の挿入部７０を設けた構造になる。そして、収容するホルダーは厚紙による箱に入れたり、段ボール紙で包んだ後に段ボール箱に収容することが望ましい。更には、当該ホルダーに薄肉ペットボトルＰを嵌合した状態（図８参照。）で厚紙による箱に入れたり、段ボール紙で包んだりしてもよい。
【００１６】
（第三実施形態）
次に、本発明の第三実施形態について、図９〜図１２に基づいて述べるが、当該第二実施形態は段ボール箱の基本的な構造は第一実施形態と同しであるために説明を省略する。第一実施形態と大きく異なるのは、第二実施形態では内蓋が段ボール箱の蓋フラップに連続して構成されている点である。従って、ここでは、この点を中心に詳しく述べる。
【００１７】
図９は第三実施形態の段ボール箱の展開図である。当該段ボール箱は前記内蓋が、前記段ボール箱本体の蓋フラップに一体に形成されている。より詳細には、第二実施形態の段ボール箱は、縦方向に延びる折れ目ａによって区別された横方向に連続した４つの側壁部分１１０、１１２、１１４、１１６と、横方向に延びる第１の折れ目ｂを介して前記４つの側壁部分の各々の上縁から上方に延びる４つの蓋フラップ１２０、１２２、１２４、１２６と、横方向に延びる第２の折れ目ｃを介して前記４つの側壁部分の各々の下縁から下方に延びる４つの底フラップ１３０、１３２、１３４、１３６とを含んでいる。そして、側壁部分１１６の端部にはのり代１８が設けられており、側壁部分１１０の端部うら面に接着されて４つの側壁部分からなる段ボール箱本体を形成する。当該段ボール箱本体の前記４つの側壁部分のうち少なくとも対向する２つの側壁部分の上方に把持部を設ける。当該段ボール箱本体が、前記４つの側壁部分１１０、１１２、１１４、１１６の相対する上縁並びに下縁が長縁と短縁を有する形状の場合は、上縁並びに下縁が短縁である側壁部分１０と側壁部分１４に把持部ａ、ｂを設ける。以上は、第一実施形態と同じである。
【００１８】
次に、第三実施形態の段ボール箱の特徴について述べると、図１０に示すように、上記蓋フラップ１２２とフラップ１２６のそれぞれに折れ目を介して半内蓋が一体に形成され、上記蓋フラップ１２２と蓋フラップ１２６を折り曲げた際に上記蓋フラップ１２２の半内蓋と蓋フラップ１２６の半内蓋が合わさって段ボール箱の表面と内蓋とを形成する。上記蓋フラップ１２２と相対する位置の半内蓋の底面１４６に薄肉ペットボトルの首部に嵌合するための溝１５４が３個設けられている。当該半内蓋の底面と上記蓋フラップ１２２と間の繋ぎ部１４４の高さは、段ボール本体の側壁部分１１０と１１４に形成されている把持部の上縁から第１の折れ目までの高さとほぼ同じになっている。また、蓋フラップ１２６についても上記と同様に構成することにより内蓋を形成し繋ぎ部１５０を形成する。これによって、上記段ボール箱の把持部上縁に手をかけて持ち運ぶ場合には、指と指の間で上記繋ぎ部１４４と１５０の両端部を挟むことにより上記段ボール箱の把持部上縁から上方へ持ち上げる際の助けとなり、上記把持部上縁が破れることを未然に防止することができる。
【００１９】
更に、蓋フラップ１２２及び/又は蓋フラップ１２６の繋ぎ部１４４側に、当該蓋フラップ１２２を或いは蓋フラップ１２２と蓋フラップ１２６とを一緒に持ち上げながら薄肉ペットボトルの首部に嵌合している半内蓋の底面の溝１５４から開放し、さらに当該蓋フラップ１２２及び/又は蓋フラップ１２６を持ち上げて段ボール箱を開口するための孔１５６を設けることが好ましい。
【００２０】
上記第二実施形態の段ボール箱では、上記上記蓋フラップ１２２とフラップ１２６を折り、その後に前記４つの側壁部分で残った側壁部分１２０と１２４を折り重ねて、段ボール箱の上蓋を閉じる（図１１）。図１２に示すように、当該段ボール箱を、破線に従って切断した状態では、薄肉ペットボトルＰは、その首部が半内蓋の底面の溝１５４に嵌合して安定していることがよく分かる。
【図面の簡単な説明】
【００２１】
【図１】第一実施形態の段ボール箱の展開図
【図２】内蓋底面の平面図
【図３】内蓋底面の平面図
【図４】ペットボトルと内蓋を配置した段ボール箱の斜視図
【図５】蓋フラップで蓋をした段ボール箱の斜視図で破線は断面破断線を示す
【図６】図５の断面破断線による断面図
【図７】第一実施形態のホルダー用の内蓋底面の平面図
【図８】ペットボトルを収容した状態のホルダー
【図９】第三実施形態の段ボール箱の展開図
【図１０】ペットボトルと内蓋を配置した段ボール箱の斜視図
【図１１】蓋フラップで蓋をした段ボール箱の斜視図で破線は断面破断線を示す
【図１２】図１１の断面破断線による断面図
【符号の説明】
【００２２】
10、12、14、16          段ボール箱の側壁部分
20、22、24、26          段ボール箱の蓋フラップ
30、32、34、36                          
段ボール箱の底フラップ
40、42    段ボール箱の把持部
50    内蓋の底面
60    円形の穴部
62     X状の切断部
70    ホルダー上方部分の挿入部
80    ホルダー
110、112、114、116    段ボール箱の側壁部分
120、122、124、126    段ボール箱の蓋フラップ
130、132、134、136    段ボール箱の底フラップ
140、142    段ボール箱の把持部                                            
【図１】
2010083532.tif 000003
【図２】
2010083532.tif 000004
【図３】
2010083532.tif 000005
【図４】
2010083532.tif 000006
【図５】
2010083532.tif 000007
【図６】
2010083532.tif 000008
【図７】
2010083532.tif 000009
【図８】
2010083532.tif 000010
【図９】
2010083532.tif 000011
【図１０】
2010083532.tif 000012
【図１１】
2010083532.tif 000013
【図１２】
2010083532.tif 000014